(57)【特許請求の範囲】
【請求項１】
建物における既存梁を補助梁によって補強する方法であって、
前記既存梁に連結され、互いに離れて配置された一対の既存躯体部のうちの少なくともいずれか一方の既存躯体部に、前記補助梁の幅寸法以上の幅を有し、前記補助梁に対して仮置き位置と正規位置とを提供する支持具を取り付ける工程と、
前記補助梁の端部に、前記支持具によって支持される被支持部材を取り付ける工程と、
前記支持具の前記仮置き位置に、前記補助梁に取り付けられた前記被支持部材を仮置きする工程と、
前記補助梁に取り付けられた前記被支持部材を、前記支持具の前記仮置き位置から前記正規位置にスライドさせることによって、前記補助梁を前記既存梁に隣接する位置に移動させる工程とを備える、梁補強方法。
【請求項２】
前記支持具の前記正規位置は、前記既存梁の下方に位置し、
前記補助梁に取り付けられた前記被支持部材が前記正規位置に配置された状態で、前記既存躯体部と前記被支持部材とを固定具によって固定する工程をさらに備える、請求項１に記載の梁補強方法。
【請求項３】
前記支持具は、前記被支持部材が前記正規位置に位置するときに、前記被支持部材を露出させる開口を有しており、
前記固定する工程では、前記支持具の前記開口を通して、前記固定具を前記被支持部材に打ち込む、請求項２に記載の梁補強方法。
【請求項４】
前記支持具は、前記既存躯体部に当接される部分を有するベース部と、前記ベース部に連結され、前記被支持部材を受入れる受入れ部とを含み、
前記受入れ部のうち前記既存躯体部の内側面に対面する部分に、前記開口が設けられている、請求項３に記載の梁補強方法。
【請求項５】
前記被支持部材は、前記補助梁に固定される天板部と、前記天板部より下方に延びる立板部とを含み、
前記支持具の前記受入れ部は、前記立板部の厚み分、前記既存躯体部から離れて配置され、かつ、前記立板部の上下寸法以上の長さを有する立壁を含む、請求項４に記載の梁補強方法。
【請求項６】
前記仮置きする工程は、
前記補助梁の一方の端部を持ち上げて、一方側の前記支持具の仮置き位置に、前記補助梁の一方の端部に取り付けられた一方側の前記被支持部材を引掛ける工程と、
前記一方側の支持具の前記仮置き位置に前記一方側の被支持部材を引掛けた状態で、前記補助梁の他方の端部を持ち上げる工程とを含む、請求項１〜５のいずれかに記載の梁補強方法。
【請求項７】
前記支持具を取り付ける工程では、前記一対の既存躯体部の双方に前記支持具を取り付け、
前記一方側の支持具の仮置き位置の幅は、前記補助梁の他方の端部に取り付けられた他方側の前記被支持部材が仮置きされる他方側の前記支持具の仮置き位置の幅よりも長く、
前記仮置きする工程は、前記補助梁の他方の端部を持ち上げた後、前記他方側の支持具の側方から前記他方側の被支持部材を挿入して、前記他方側の被支持部材を前記他方側の支持具の仮置き位置に仮置きする工程をさらに含む、請求項６に記載の梁補強方法。
【請求項８】
前記補助梁には、前記補助梁の上面に沿って延び、幅方向一方側に張り出す支持面を有する既存梁支持具が予め取り付けられており、
前記補助梁を移動させる工程において、前記既存梁支持具の支持面が前記既存梁の下面に当接または対面した状態で、前記一対の既存躯体部の中間に位置し、前記既存梁を支持していた中間柱を前記既存梁から取り除く、請求項１〜７のいずれかに記載の梁補強方法。
【請求項９】
建物における既存梁を補助梁によって補強する構造であって、
前記既存梁に連結され、互いに離れて配置された一対の既存躯体部と、
前記一対の既存躯体部のうちの少なくともいずれか一方の既存躯体部に取り付けられ、
前記補助梁の幅寸法以上の幅を有し、前記補助梁に対して仮置き位置と正規位置とを提供する支持具と、
前記補助梁の端部に取り付けられ、前記支持具によって支持される被支持部材とを備え、
前記被支持部材は、前記支持具の前記正規位置に配置された状態で、その位置が固定されている、梁補強構造。
【請求項１０】
建物における既存梁に連結された既存躯体部に取り付けられ、前記既存梁を補強するために配置される補助梁を支持するための支持具であって、
前記既存躯体部に当接される部分を有するベース部と、
前記ベース部に連結され、前記補助梁の端部に固定された被支持部材を受入れるための受入れ部とを備え、
前記受入れ部は、前記補助梁の幅寸法以上の幅を有し、前記補助梁に対して仮置き位置と正規位置とを提供するための載置面を含む、補助梁支持具。
【発明の詳細な説明】
【技術分野】
【０００１】
本発明は、梁補強方法および構造、ならびに補助梁支持具に関し、特に、建物における既存梁の下方に補助梁を配置することによって既存梁を補強する方法および構造、ならびに、補助梁を支持するための補助梁支持具に関する。
【背景技術】
【０００２】
既存住宅の間取りを変更する際に、既存梁（中間柱）を撤去することがある。このような場合、その既存柱が支えていた既存梁の下方または側方に補助梁を設置することで、既存梁の剛性を高める補強工事が行われる。また、耐震性の向上を目的として、補助梁による既存梁の補強が行なわれることもある。
【０００３】
補助梁を既存梁に隣接する位置で固定するための方法や部材は、従来から提案されている。特開２０１１−２６９１６号公報（特許文献１）には、既存梁の直下に補助梁を配置する場合に、一対の既存柱の対向側面に雌ネジ部材を有する接合具本体を固定し、補助梁の材端に形成されたスリットに連通する雌ネジ挿通孔に、上記雌ネジ部材が挿通されるように補助梁を持ち上げ、雌ネジ部材に雄ネジを螺合させて、補助梁と既存梁とを接着することが開示されている。
【先行技術文献】
【特許文献】
【０００４】
【特許文献１】特開２０１１−２６９１６号公報
【発明の概要】
【発明が解決しようとする課題】
【０００５】
一般的に、補助梁は重量物であるであるため、補助梁を既存梁の高さまで持ち上げるには多くの作業員が必要となる。特許文献１の部材を用いたとしても、作業員は梁の両端に分かれて補助梁を同時に持ち上げる必要がある。このような高所での作業は不安定であり、危険を伴っていた。
【０００６】
本発明は、上記のような課題を解決するためになされたものであって、その目的は、補助梁の取り付け作業を少人数で安全に行うことのできる梁補強方法および構造、ならびに補助梁支持具を提供することである。
【課題を解決するための手段】
【０００７】
この発明のある局面に従う梁補強方法は、建物における既存梁を補助梁によって補強する方法であって、既存梁に連結され、互いに離れて配置された一対の既存躯体部のうちの少なくともいずれか一方の既存躯体部に、補助梁の幅寸法以上の幅を有し、補助梁に対して仮置き位置と正規位置とを提供する支持具を取り付ける工程と、補助梁の端部に、支持具によって支持される被支持部材を取り付ける工程と、支持具の仮置き位置に、補助梁に取り付けられた被支持部材を仮置きする工程と、補助梁に取り付けられた被支持部材を、支持具の仮置き位置から正規位置にスライドさせることによって、補助梁を既存梁に隣接する位置に移動させる工程とを備える。
【０００８】
好ましくは、支持具の正規位置は、既存梁の下方に位置し、補助梁に取り付けられた被支持部材が正規位置に配置された状態で、既存躯体部と被支持部材とを固定具によって固定する工程をさらに備える。
【０００９】
好ましくは、支持具は、被支持部材が正規位置に位置するときに、固定具を露出させる開口を有している。この場合、固定する工程では、支持具の開口を通して、固定具を被支持部材に打ち込む。
【００１０】
なお、既存躯体部と被支持部材とが固定された後に、既存躯体部から支持具を取り外す工程をさらに備えてもよい。
【００１１】
好ましくは、支持具は、既存躯体部に当接される部分を有するベース部と、ベース部に連結され、被支持部材を受入れる受入れ部とを含む。この場合、受入れ部のうち既存躯体部の内側面に対面する部分に、開口が設けられることが望ましい。
【００１２】
被支持部材は、補助梁に固定される天板部と、天板部より下方に延びる立板部とを含んでいてもよい。この場合、支持部の受入れ部は、立板部の厚み分、既存躯体部から離れて配置され、かつ、立板部の上下寸法以上の長さを有する立壁を含むことが望ましい。
【００１３】
好ましくは、仮置きする工程は、補助梁の一方の端部を持ち上げて、一方側の支持具の仮置き位置に、補助梁の一方の端部に取り付けられた一方側の被支持部材を引掛ける工程と、一方側の支持具の仮置き位置に一方側の被支持部材を引掛けた状態で、補助梁の他方の端部を持ち上げる工程とを含む。
【００１４】
好ましくは、支持具を取り付ける工程では、一対の既存躯体部の双方に支持具を取り付ける。一方側の支持具の仮置き位置の幅は、補助梁の他方の端部に取り付けられた他方側の被支持部材が仮置きされる他方側の支持具の仮置き位置の幅よりも長くてもよい。この場合、仮置きする工程は、補助梁の他方の端部を持ち上げた後、他方側の支持具の側方から他方側の被支持部材を挿入して、他方側の被支持部材を他方側の支持具の仮置き位置に仮置きする工程をさらに含んでもよい。
【００１５】
好ましくは、補助梁には、補助梁の上面に沿って延び、幅方向一方側に張り出す支持面を有する既存梁支持具が予め取り付けられており、補助梁を移動させる工程において、既存梁支持具の支持面が既存梁の下面に当接または対面した状態で、一対の既存躯体部の中間に位置し、既存梁を支持していた中間柱を既存梁から取り除くことが望ましい。
【００１６】
この発明の他の局面に従う梁補強構造は、建物における既存梁を補助梁によって補強する構造であって、既存梁に連結され、互いに離れて配置された一対の既存躯体部と、一対の既存躯体部のうちの少なくともいずれか一方の既存躯体部に取り付けられ、補助梁の幅寸法以上の幅を有し、補助梁に対して仮置き位置と正規位置とを提供する支持具と、補助梁の端部に取り付けられ、支持具によって支持される被支持部材とを備える。被支持部材は、支持具の正規位置に配置された状態で、その位置が固定されている。
【００１７】
この発明のさらに他の局面に従う補助梁支持具は、建物における既存梁に連結された既存躯体部に取り付けられ、既存梁を補強するために配置される補助梁を支持するための支持具である。補助梁支持具は、既存躯体部に当接される部分を有するベース部と、ベース部に連結され、補助梁の端部に固定された被支持部材を受入れるための受入れ部とを備える。受入れ部は、補助梁の幅寸法以上の幅を有し、補助梁に対して仮置き位置と正規位置とを提供するための載置面を含む。
【発明の効果】
【００１８】
本発明によれば、補助梁の取り付け作業を少人数で安全に行うことができる。
【図面の簡単な説明】
【００１９】
【図１】本発明の実施の形態に係る梁補強構造を模式的に示す正面図である。
【図２】本発明の実施の形態において、一方の既存柱に取り付けられた補助梁支持具を示す側面図である。
【図３】本発明の実施の形態において、一方の既存柱に取り付けられた補助梁支持具を示す斜視図である。
【図４】本発明の実施の形態における補助梁支持具の構造例を示す斜視図である。
【図５】本発明の実施の形態において、補助梁の端部が補助梁支持具の仮置き位置に載置された状態を示す斜視図である。
【図６】本発明の実施の形態における補助梁支持具の他の構造例を示す斜視図である。
【図７】本発明の実施の形態において、補助梁支持具が一対の既存柱に取り付けられた状態を模式的に示す上面図である。
【図８】本発明の実施の形態において、補助梁の両端部が補助梁支持具に仮置きされた状態を示す図である。
【図９】本発明の実施の形態において、既存梁支持具を装着した補助梁が、補助梁支持具に仮置きされた状態を示す斜視図である。
【図１０】本発明の実施の形態における既存梁支持具の構造例を示す断面図である。
【図１１】本発明の実施の形態における既存梁支持具の他の構造例を示す断面図である。
【図１２】本発明の実施の形態における梁補強方法の工程順序を示すフローチャートである。
【図１３】図１２のフローチャートにおける工程Ｐ４の途中状態を示す図である。
【図１４】図１２のフローチャートにおける工程Ｐ６の途中状態を模式的に示す上面図である。
【図１５】図１２のフローチャートにおける工程Ｐ６の最終状態を示す斜視図である。
【図１６】本発明の実施の形態において、補助梁が補助梁支持具の正規位置に載置された状態を示す斜視図である。
【図１７】本発明の実施の形態の変形例１に係る補助梁を模式的に示す図である。
【図１８】本発明の実施の形態の変形例２において、他方側の既存柱に固定される支持用部材の構造例を示す図である。
【発明を実施するための形態】
【００２０】
本発明の実施の形態について図面を参照しながら詳細に説明する。なお、図中同一または相当部分には同一符号を付してその説明は繰返さない。
【００２１】
本実施の形態では、建物における既存梁の下方に補助梁が配置されることによって、既存梁が補強される。建物は、典型的には木造住宅である。
【００２２】
（梁補強構造の概略について）
はじめに、本実施の形態に係る梁補強構造の概略について説明する。
【００２３】
図１に示されるように、既存住宅には、既存の躯体部として、基礎（図示せず）上に設けられた土台１１と、土台１１上に設置された既存柱１２，１３，１４と、これら既存柱１２，１３，１４に支えられた既存梁１５と、既存梁１５に対して直交する既存梁１６，１７とが含まれているものとする。これらの構造躯体は、たとえば全て、四角柱形状である。
【００２４】
一対の既存柱１２，１３は、既存梁１５の両端部に連結され、既存梁１５を支持している。本実施の形態では、既存梁１５の両端部は、既存柱１２，１３によってそれぞれ間接的に支持されている。より具体的には、既存梁１５の一端側は、既存梁１７に連結されており、その既存梁１７が既存柱１３によって支持されている。同様に、既存梁１５の他端側は、既存梁１６に連結されており、その既存梁１６が既存柱１２によって支持されている。なお、既存梁１５の少なくとも一方側端部は、既存柱１２または１３によって直接的に支持されていてもよい。
【００２５】
本実施の形態に係る梁補強構造では、このような住宅において、一対の既存柱１２，１３間に位置する既存柱１４（以下「中間柱１４」という）が撤去されている。また、既存梁１５の下方に、補助梁２１が配置されている。補助梁２１は、たとえば木材で形成されている。補助梁２１の両端部は、たとえば公知のＬ字形状の支持金物６を介して一対の既存柱１２，１３に支持されている。なお、既存梁１５と補助梁２１とを確実に連結させるためには、既存梁１５と補助梁２１とをまたぐ位置に側板２２がさらに設けられることが望ましい。
【００２６】
本実施の形態では、補助梁２１は、仮置き工程を経てから取り付け位置（すなわち、既存梁１５の直下）に配置される。補助梁２１の仮置き工程を実現するために、上記支持金物６を支持する支持具（以下「補助梁支持具」という）が既存柱１２，１３に取り付けられる。支持金物６は、補助梁２１の固定時に補助梁２１の端部を既存柱１２，１３に支持させるために用いられる支持部材であるとともに、補助梁支持具に支持される被支持部材でもある。
【００２７】
（補助梁支持具の構造例および配置例について）
図２および図３は、それぞれ、一方の既存柱１３に取り付けられた補助梁支持具４を示す側面図および斜視図である。図４は、補助梁支持具４を示す斜視図である。なお、図３では、既存梁１７の延びる方向（長手方向）が矢印Ａ１で示されており、本実施の形態では当該方向を幅方向という。つまり、幅方向は、既存梁１５および補助梁２１の延びる方向（長手方向）に直交する方向を表わす。また、既存梁１５および補助梁２１の延びる方向を奥行方向ともいう。また、図４では、補助梁支持具４に支持される支持金物６が想像線にて示されている。
【００２８】
図２を参照して、補助梁支持具４は、上記支持金物６を支持する。支持金物６は、水平方向に延びる天板部６１と、天板部６１より下方に延びる立板部６２とを含む。支持金物６の天板部６１は、予め、補助梁２１の端部の下面２１２に固定されている。図４において想像線で示されるように、天板部６１および立板部６２には、それぞれ、釘やボルトなどの固定具（図１６の「９２」）が挿入される複数の貫通穴６３，６４が設けられている。支持金物６の幅は、補助梁２１の幅寸法（図９の「Ｌ１」）以下である。これに対し、補助梁支持具４の幅は、少なくとも補助梁２１の幅寸法以上であり、ここでは、たとえば補助梁２１の幅寸法の２倍以上である。補助梁支持具４は、後述するように、補助梁２１に対して仮置き位置４２２と正規位置４２１とを提供する。補助梁支持具４は、剛性を有する材料、たとえば鋼材により形成されている。
【００２９】
補助梁支持具４は、ベース部４１と、ベース部４１に連結され、支持金物６を受入れる受入れ部４２とを含む。本実施の形態では、既存柱１３の内側面１３０の幅は、補助梁２１の幅寸法と略同一であるため、ベース部４１は、既存柱１３に当接される部分と既存柱１３から側方に突出する部分とを有している。図３および図４に示されるように、ベース部４１は、既存柱１３との当接部分に、固定具９１が挿通される複数の貫通穴４３が設けられている。
【００３０】
受入れ部４２は、ベース部４１の上端部から、既存柱１３の内側面１３０に沿って上方に立ち上がる立壁４５と、底壁４４とで構成されている。底壁４４は、ベース部４１の上端に形成されている。立壁４５は、支持金物６の立板部６２の厚み分、既存柱１３から離れて配置されている。立壁４５の表面は、ベース部４１の表面と面一状に形成されている。そのため、立壁４５の厚みは、ベース部４１の厚みよりも、支持金物６の立板部６２の厚み寸法以上小さい。受入れ部４２の上端面４２０（つまり、立壁４５の上端面）は、幅方向に段差なく延びている。支持状態において、支持金物６の天板部６１は、受入れ部４２の上端面４２０に当接（載置）され、支持金物６の立板部６２は、受入れ部４２の裏面側に受け入れられる。
【００３１】
受入れ部４２の上端面４２０は、補助梁２１の端部が本置きされる正規位置４２１と、補助梁２１の端部が仮置きされる仮置き位置４２２とを有している。つまり、この上端面４２０が、補助梁２１に対して仮置き位置４２２と正規位置４２１とを提供するための載置面である。正規位置４２１は、既存梁１５の下面に対向するように配置され、仮置き位置４２２は、既存梁１５よりも側方に突出するように配置されている。たとえば、正規位置４２１の幅は、補助梁２１の幅寸法と略同一であり、仮置き位置４２２の幅は、補助梁２１の幅寸法以上である。図５には、補助梁２１の端部が補助梁支持具４の仮置き位置４２２に載置された状態が示されている。
【００３２】
なお、本実施の形態では、支持金物６が補助梁支持具４の受入れ部４２に完全に受け入れられた状態（支持状態）においても、図２に示されるように支持金物６の下端部は、受入れ部４２の底壁４４から浮いた状態となっている。しかしながら、支持状態において、支持金物６の下端部は、受入れ部４２の底壁４４に接してもよい。ただし、この場合でも、支持金物６が受入れ部４２の上端面４２０に接することが望ましい。つまり、受入れ部４２の立壁４５の上下方向長さは、支持金物６の立板部６２の上下寸法以上であることが望ましい。
【００３３】
受入れ部４２の上端面４２０における、仮置き位置４２２側の幅方向端縁には、仮置き位置４２２からの補助梁２１の脱落を防止するために、上端面４２０からさらに立ち上がる立上片（図示せず）などが設けられていてもよい。また、補助梁支持具４には、求められる強度に応じて、支持金物６に干渉しない範囲で補強部材（図示せず）が設けられてもよい。
【００３４】
図３および図４に示すように、受入れ部４２のうち既存柱１３の内側面１３０に対面する部分、すなわち立壁４５（図２）の一部には、開口４０が設けられている。開口４０は、支持金物６が正規位置４２１に位置するときに、支持金物６の立板部６２の貫通穴６４を露出させる。つまり、開口４０は、貫通穴６４を貫通する固定具（の頭部）を露出させる。なお、本実施の形態では、開口４０によって全ての貫通穴６４が露出される例を示しているが、少なくとも一部の貫通穴６４が露出されればよい。また、受入れ部４２に、複数の貫通穴６４を露出する１つの開口４０が設けられることとするが、図６に示されるように、貫通穴６４ごとに開口４０Ａが設けられてもよい。また、支持金物６の立板部６２に貫通穴６４が設けられていなくても、受入れ部４２の立壁４５は、固定具を打ち込むべき箇所に開口を有していればよい。
【００３５】
本実施の形態では、補助梁２１を片方ずつ持ち上げて、既存柱１２，１３に取り付けられた補助梁支持具４の仮置き位置に４２２に、補助梁２１に固定された支持金物６を載置する。この場合、先に載置される方（一方側）の補助梁支持具４の受入れ部４２の上端面４２０（仮置き位置４２２）は、受入れ部４２の立壁４５に引掛けられた支持金物６の回転運動の支点となるため、上端面４２０の少なくとも一部は断面Ｒ形状を有していることが望ましい。
【００３６】
また、後に載置される方の補助梁支持具４の仮置き位置４２２に補助梁２１を載置し易くするために、図７に示されるように、補助梁支持具４における仮置き位置４２２の幅を、一方側と他方側とで異ならせてもよい。図７には、補助梁支持具４が既存柱１２，１３に取り付けられた状態（上方から見た状態）が模式的に示されている。図７では、一方の既存柱１３側の補助梁支持具４の幅寸法Ｌ１１の方が、他方の既存柱１２側の補助梁支持具４の幅寸法Ｌ１２よりも長い。この場合、補助梁支持具４の仮置き位置４２２の幅は、補助梁２１の幅寸法よりも大きく、補助梁支持具４Ａの仮置き位置４２２の幅は、補助梁２１の幅寸法よりも小さい。つまり、補助梁支持具４Ａにおける仮置き位置４２２と正規位置４２１とは、部分的に重なっている。なお、この場合でも、補助梁支持具４Ａの受入れ部４２の上端面４２０の幅は、補助梁２１の端部を仮置きした状態で安定的に補助梁２１を支持できる長さであることが望ましい。
【００３７】
図８には、補助梁２１の両端部が補助梁支持具４，４Ａに仮置きされた状態が示されている。補助梁２１が仮置きされた状態では、図７に示されるように、補助梁２１は既存梁１５よりも側方に位置している。この状態において、既存梁１５を下方から支持する既存梁支持具５が補助梁２１の中央部（長手方向両端部以外の部分）に取り付けられていることが望ましい。次に、既存梁支持具５について説明する。
【００３８】
（既存梁支持具５の構造例および配置例について）
図９は、既存梁支持具５を装着した補助梁２１が、補助梁支持具４，４Ａに仮置きされた状態を示す斜視図である。図１０は、既存梁支持具５の構造例を示す断面図である。なお、図９では、理解を容易にするために、既存梁１５が部分的に切断された状態が示されている。
【００３９】
図９に示されるように、本実施の形態における既存梁支持具５は、補助梁２１の両端部が補助梁支持具４，４Ａに仮置きされた状態において、既存梁１５を下方から支持する支持面５０を有している。支持面５０は、補助梁２１の上面２１０に沿って延び、幅方向一方側に張り出している。支持面５０が補助梁２１より張り出す方向は、補助梁支持具４が既存柱１２，１３より張り出す方向とは反対の方向である。つまり、補助梁支持具４は、既存柱１２，１３より幅方向他方側に張り出している。
【００４０】
既存梁支持具５は、図１０に示されるように、たとえば、各々が略Ｌ字形状を有する２つの支持部材５１，５２を含む。これらの支持部材５１，５２もまた、剛性を有する材料、たとえば鋼材により形成されている。第１の支持部材５１は、支持面５０が形成された水平部５１１と、水平部５１１に連結された垂直部５１２とを有する。水平部５１１の一部が、補助梁２１の上面２１０に載置（当接）される。ここでは、水平部５１１のうち、補助梁２１の上面２１０に載置される部分をベース部５１１ａ、水平部５１１のうち、補助梁２１より幅方向一方側へ張り出した部分を張出部５１１ｂという。支持面５０は、水平部５１１の上面であり、略水平方向に延在している。垂直部５１２は、補助梁２１の幅方向他方側の側面２１１に沿って配置される。なお、図９および図１０では、張出部５１１ｂの幅寸法Ｌ４は、既存梁１５の幅寸法Ｌ３と略同一としているが、既存梁１５の幅寸法より小さくてもよい。つまり、補助梁２１が仮置きされた状態で、支持面５０と既存梁１５の下面１５０とが、少なくとも一部、当接（または対面）していればよい。
【００４１】
第２の支持部材５２も同様に、水平部５２２と、水平部５２２に連結された垂直部５２１とを有する。水平部５２２は、補助梁２１の下面２１２に当接される。垂直部５２１は、補助梁２１の幅方向他方側の側面２１１に沿って配置される。垂直部５２１は、少なくとも部分的に、第１の支持部材５１の垂直部５１２と重なっており、これらの垂直部５１２，５２１のうちのいずれか一方（図１０では垂直部５１２）が、補助梁２１の側面２１１に当接する。
【００４２】
第１の支持部材５１の垂直部５１２と第２の支持部材５２の垂直部５２１とが重なった部分には、それぞれ複数の貫通穴５１４，５２４が形成されている。これらの貫通穴５１４，５２４に連結具７１が貫通されることによって、第１の支持部材５１と第２の支持部材５２とが連結される。これにより、既存梁支持具５は、補助梁２１の三方を取り囲んだ状態で、補助梁２１に固定される。連結具７１は補助梁２１を突き刺しておらず、容易に取り外し可能である。具体的には、たとえば、貫通穴５１４，５２４は、内周面に螺旋状の溝が形成されたネジ穴であり、連結具７１は、雄ネジである。
【００４３】
垂直部５１２の貫通穴５１４、および、垂直部５２１の貫通穴５２４は、ともに、上下方向に所定間隔（たとえば３０ｍｍ間隔）で設けられている。これにより、様々な規格の補助梁２１に対応することができる。なお、補助梁２１の下面２１２と第２の支持部材５２の水平部５２２との間に多少の隙間が生じる場合には、その隙間にパッキン等を挿入して、補助梁２１が２つの支持部材５１，５２によって上下方向に挟持されるようにしてもよい。
【００４４】
なお、既存梁支持具５によって補助梁２１の三方を取り囲むだけでは、既存梁支持具５は、張出部５１１ｂ上の支持面５０に既存梁１５の荷重が加えられたときに、図１０において時計方向に回転してしまう可能性がある。したがって、既存梁支持具５は、回転防止手段をさらに有していることが望ましい。本実施の形態では、たとえば、第２の支持部材５２に、水平部５２２の幅方向他方側の端部より立ち上がる立上部５２３をさらに設けることで、既存梁支持具５の回転を防止することとしている。立上部５２３は、補助梁２１の幅方向一方側の側面２１３に当接することが望ましい。
【００４５】
既存梁支持具５は、第１の支持部材５１の水平部５１１のうち張出部５１１ｂのみで既存梁１５の荷重を支持する。そのため、張出部５１１ｂの下方には、図１１に示すような補強部材５３が設けられることが望ましい。補強部材５３は、たとえば、第１の支持部材５１の水平部５１１の張出部５１１ｂの下面に当接される当接部５３１と、補助梁２１の幅方向一方側の側面２１３に当接される当接部５３２と、これらの当接部５３１，５３２に直交する直交部５３３とを含む。第１の支持部材５１の水平部５１１における張出部５１１ｂと当接部５３１とに、連結具７２が貫通されることによって、第１の支持部材５１と補強部材５３とが連結固定される。なお、張出部５１１ｂおよび当接部５３１にも、連結具７２が貫通される貫通穴が予め形成されており、連結具７２も、連結具７１と同様に簡単に取り外し可能であるものとする。
【００４６】
また、図１１に示されるように、第１の支持部材５１の張出部５１１ｂの先端部（幅方向一方側端部）には、既存梁１５の下方への差し込みを容易にするために、斜め下方に延びる傾斜部５１３が設けられていてもよい。なお、図１１に示す張出部５１１ｂの幅は、図１０に示す幅よりも短く形成されている。
【００４７】
（梁補強方法について）
ここで、本実施の形態における既存梁１５の補強方法について説明する。図１２は、本実施の形態における梁補強方法の工程順序を示すフローチャートである。なお、梁補強方法の説明において、特に補助梁支持具４，４Ａを区別する必要がない場合には、単に補助梁支持具４と記す。
【００４８】
図１２を参照して、はじめに、補助梁支持具４が、一対の既存柱１２，１３に対しそれぞれ固定される（工程Ｐ１）。本実施の形態では、典型的には、補助梁支持具４の受入れ部４２の上端面４２０が、補助梁２１の高さ寸法（図９の「Ｌ２」）と、既存梁支持具５の水平部５１１の厚み分と、支持金物６の天板部６１の厚み分とを足し合わせた寸法以上、既存梁１５の下面１５０より下方に配置される。補助梁支持具４は、たとえば、複数の固定具９１（図２）が、ベース部４１の表面側から貫通穴４３を貫通するように既存柱１２，１３に打ち込まれることによって固定される。この場合、上記図３および図７に示したように、補助梁支持具４の受入れ部４２のうち仮置き位置４２２の部分のみが、既存梁１５の側方側へ張出される。
【００４９】
また、補助梁２１の両端部に被支持部材としての支持金物６を固定する（工程Ｐ２）。支持金物６は、立板部６２が奥行方向外側に位置するように、補助梁２１の両端部に固定される。具体的には、たとえば、天板部６１の貫通穴６３を挿通する固定具によって、支持金物６が補助梁２１の下面に固定される。
【００５０】
次に、補助梁２１に、既存梁支持具５を取り付ける（工程Ｐ３）。既存梁支持具５は、たとえば、補助梁２１の中央部（長手方向両端部以外の部分）であって、補助梁支持具４に補助梁２１を仮置きした場合に中間柱１４と接触しない部分に取り付けられる。既存梁支持具５を取り付ける具体的な手順は、たとえば次の通りである。図９および図１０を参照して、まず、補助梁２１の上方側より第１の支持部材５１を被せ、補助梁２１の下方側より第２の支持部材５２を嵌め込む。第１の支持部材５１と第２の支持部材５２との嵌め込み順序は逆でもよい。その後、第２の支持部材５２の水平部５２２が補助梁２１の下面２１２に当接し、かつ、第２の支持部材５２の垂直部５２１が第１の支持部材５１の垂直部５１２に当接した状態で、連結具７１を貫通穴５１４，５２４に嵌入する。これにより、支持部材５１，５２は、互いに連結され、補助梁２１に固定される。なお、図１１に示すように、第１の支持部材５１に補強部材５３が設けられる場合には、補強部材５３は、支持部材５１，５２を連結した後に取り付けられてもよいし、第１の支持部材５１を補助梁２１の上方から被せる前に取り付けられてもよい。
【００５１】
次に、各補助梁支持具４の上端面４２０における仮置き位置４２２上に、補助梁２１の端部が仮置きされる（工程Ｐ４）。具体的には、図１３に示すように、まず、補助梁２１の一方側端部が持ち上げられ、既存柱１３に固定された補助梁支持具４の仮置き位置４２２に、補助梁２１の一方側端部に固定された支持金物６が引掛けられる。このとき、支持金物６が、補助梁支持具４の上方から受入れ部４２内に挿入されて引掛けられる。また、補助梁２１の一方側端部は、仮置き位置４２２の端に寄せて仮置きされる。
【００５２】
その後、補助梁２１の他方側端部が持ち上げられ、既存柱１２に固定された補助梁支持具４Ａの仮置き位置４２２に、補助梁２１の他方側端部に固定された支持金物６が引掛けられる。このとき、支持金物６が、補助梁支持具４Ａの側方から受入れ部４２内に挿入されて引掛けられる。
【００５３】
補助梁２１が補助梁支持具４上に仮置きされた状態では、補助梁２１は、既存梁１５よりも側方側（幅方向他方側）に位置しており、既存梁支持具５の張出部５１１ｂ上の支持面５０は、既存梁１５の下面１５０に当接している。このときの状態が、図１４に示されている。なお、補助梁支持具４の設置高さ等によっては、既存梁支持具５の支持面５０が既存梁１５の下面１５０に当接しないことも考えられるが、補助梁２１を仮置きした段階では、支持面５０が、少なくとも近接した位置にて既存梁１５の下面１５０に対面しているだけでもよい。つまり、既存梁支持具５の支持面５０は、中間柱１４の撤去に伴い既存梁１５が撓んだ場合にはじめて、既存梁１５の下面１５０と当接するように配置されていてもよい。
【００５４】
本実施の形態では、この段階で、既存梁１５および土台１１に係合されていた中間柱１４の上下端のホゾ（突起部）１４０を切り、中間柱１４本体を既存梁１５および土台１１から切り離す（工程Ｐ５）。これにより、中間柱１４と構造躯体との縁が切られる。なお、中間柱１４のホゾ１４０が切られただけでは中間柱１４は倒れないため、既存梁１５の荷重は中間柱１４によって支持されたままである。
【００５５】
その後、仮置きされた補助梁２１を、補助梁支持具４の正規位置４２１側に向けてスライド移動させながら、中間柱１４を取り除く（工程Ｐ６）。当該工程については、図１５を参照して具体的に説明する。図１５（Ａ）には、補助梁２１が補助梁支持具４に仮置きされ、上記工程Ｐ５において中間柱１４の上下端のホゾが切られた状態が、模式的に示されている。この状態で、作業者は、補助梁２１の側面２１１を叩くなどして、補助梁２１を既存梁１５に隣接する位置（すなわち、既存梁１５の真下）に移動させる。このとき、図１５（Ｂ）に示されるように、既に構造躯体との縁が切られた中間柱１４は、補助梁２１によって、補助梁２１の移動方向に徐々に押し出される。そのため、本実施の形態では、補助梁２１が正規位置４２１へ近づくにつれて、既存梁１５の荷重が、補助梁２１に取り付けられた既存梁支持具５の支持面５０に徐々に加えられることになる。本工程において補助梁２１が正規位置４２１に移動された状態が、図１６に示されている。この状態では、既存梁支持具５のベース部５１１ａ上の支持面５０が既存梁１５の下面１５０に当接している。
【００５６】
既存梁１５の真下に補助梁２１が配置されると、補助梁２１から既存梁支持具５を取り外す（工程Ｐ７）。具体的には、既存梁支持具５を固定していた連結具７１を抜き取り、第１の支持部材５１と第２の支持部材５２とを分解することによって、既存梁支持具５を補助梁２１から取り外す。
【００５７】
その後、補助梁２１に固定された支持金物６と既存柱１２，１３とが固定される（工程Ｐ８）。具体的には、図１６に示すように、補助梁支持具４，４Ａの開口４０を通して、支持金物６の貫通穴６４に固定具９２が打ち込まれる。支持金物６が固定されると、補助梁支持具４，４Ａを既存柱１２，１３から取り外す（工程Ｐ９）。
【００５８】
また、既存梁１５および補助梁２１の両側面に、側板２２を取り付ける（工程Ｐ１０）。つまり、側板２２は、既存梁１５と補助梁２１とを一体的に連結するために、既存梁１５と補助梁２１とをまたぐように貼り付けられる。側板２２の梁１５，２１への取り付けは、公知の手法により行われてよい。本実施の形態では、少なくとも既存梁支持具５を取り付けていた箇所に、既存梁支持具５の水平部５１１の厚み分、補助梁２１の上面２１０と既存梁１５の下面１５０との間に隙間が生じ得るが、側板２２が取り付けられることによって、既存梁１５と補助梁２１とを確実に一体化することができる。
【００５９】
なお、本実施の形態では、既存梁１５および補助梁２１の両側面に側板２２を取り付けることとしたが、一方の側面にのみ側板２２が取り付けられてもよい。あるいは、側板２２を用いなくても、既存梁１５と補助梁２１との隙間をパッキン等によって埋めることによって両者を一体的に連結してもよい。あるいは、既存梁１５と補助梁２１とは、単純に、ボルトや公知の金物で連結されてもよい。
【００６０】
また、補助梁２１から既存梁支持具５を取り外すタイミングは、補助梁２１を正規位置３１１に移動させた直後としたが、限定的ではない。たとえば、既存梁支持具５は、補助梁２１と既存梁１５とを一体的に連結する工程（Ｐ１０）の後に取り外されてもよい。この場合、側板２２によって両者を連結する場合には、既存梁支持具５に干渉しない位置に側板２２を取り付ければよい。このように、既存梁支持具５以外の箇所においても既存梁１５の荷重を支持できる状態としてから既存梁支持具５を取り外す場合、より安全に既存梁支持具５を取り外すこともできる。
【００６１】
上述のように、本実施の形態によれば、重量物である補助梁２１を片方ずつ持ち上げて、補助梁２１を仮置き位置に配置することができる。補助梁２１が重量物であればあるほど補助梁２１の両端部に分かれて同時に高所まで持ち上げて固定作業を行うことは不安定であり危険を伴っていたが、本実施の形態の補助梁支持具４を用いることで、少人数の作業員で安全に補助梁２１の取り付けを行うことができる。
【００６２】
また、補助梁２１の固定には、一般的なＬ字形状の支持金物６を用いることができ、補助梁支持具４は取り外して使い回すことができる。したがって、本実施の形態によれば、コスト面でも有利である。
【００６３】
また、上述の梁補強方法によれば、補助梁２１の両端部が仮置き位置４２２にて一対の既存柱１２，１３に支持された状態で、補助梁２１に装着された既存梁支持具５の支持面５０が既存梁１５の下面１５０に当接または対面される。したがって、補助梁２１の正規位置への移動途中に中間柱１４が既存梁１５を支持できなくなったとしても、既存梁支持具５を備えた補助梁２１によって既存梁１５を補強することができる。その結果、構造的に不安定な瞬間を作ることなく補強作業を行うことができる。なお、既存梁支持具５を備えた補助梁２１を補助梁ユニットとして提供してもよい。これにより、既存梁１５の補強をより容易に行うことができる。
【００６４】
本実施の形態における既存梁支持具５は、主に、簡易な構成の２つの支持部材５１，５２によって構成されており、補助梁２１への脱着も簡単である。したがって、作業者の手間を軽減し、補強作業を効率良く行うことができる。
【００６５】
また、既存梁支持具５も取り外して他の補強工事に転用できるため、補強工事のコストを抑えることもできる。
【００６６】
（変形例１）
本実施の形態では、既存梁支持具５の水平部５１１の厚み分、既存梁１５と補助梁２１との間に隙間が空くため、側板２２の貼り付けや、隙間を埋める作業が必要であった。しかし、図１２の工程Ｐ３において補助梁２１に既存梁支持具５を取り付ける前に、補助梁２１に、既存梁支持具５の水平部５１１の厚み分、切欠きを設ける工程をさらに追加してもよい。この場合の補助梁２１の例が図１７に示されている。図１７は、本発明の実施の形態の変形例１に係る補助梁２１を模式的に示す図である。
【００６７】
図１７（Ａ）に示されるように、補助梁２１の上面２１０側には、既存梁支持具５の厚み分の深さを有する切欠き部２１０ａが設けられている。この場合、図１２の工程Ｐ２において、図１７（Ｂ）に示されるように、切欠き部２１０ａ内に、既存梁支持具５を取り付ける。そうすると、既存梁支持具５の支持面５０と補助梁２１の上面２１０とはフラットな状態となる。既存梁支持具５がこのように装着されると、補助梁２１が正規位置３１１に移動された場合に、既存梁支持具５の支持面５０のみが既存梁１５の下面１５０に当接しているのではなく、補助梁２１の上面２１０も既存梁１５の下面１５０に当接した状態となる。したがって、補助梁２１を正規位置３１１に移動した後の既存梁１５の荷重は、補助梁２１の上面２１０においても受けているため、既存梁支持具５の取り外しを容易にすることができる。また、この場合、既存梁１５と補助梁２１とを一体的に連結するための連結部材（たとえば側板２２）を設けなくてもよい。
【００６８】
（変形例２）
本実施の形態では、既存柱１２，１３の両方に、補助梁支持具４が用いられることとしたが、少なくとも一方に補助梁支持具４が用いられればよい。その場合でも、他方の既存柱には、補助梁２１に対し正規位置と仮置き位置とを提供する他の部材が用いられることが望ましい。図１８は、本発明の実施の形態の変形例２において、他方側の既存柱１２に固定される支持用部材３の構造例を示す図である。図１８には、特願２０１３−１８６９９８９号として出願済の支持具が示されている。
【００６９】
支持用部材３は、たとえば略Ｌ字形状を有しており、略水平に配置される板状部（以下「水平板部」という）３１と、水平板部３１に直交し、既存柱１２に固定される板状部（以下「垂直板部」という）３２とを含む。取り付け状態において、水平板部３１の奥行方向端部が、垂直板部３２の上端部に連結されている。支持用部材３は、剛性を有する材料、たとえば鋼材により形成されている。
【００７０】
水平板部３１が、補助梁２１の高さ寸法と既存梁支持具５の水平部５１１の厚み分とを足し合わせた寸法以上、既存梁１５の下面より下方に配置される。支持用部材３における水平板部３１の上面（すなわち水平面）３１０は、補助梁２１の他方側端部が本置きされる正規位置３１１と、補助梁２１の他方側端部が仮置きされる仮置き位置３１２とを有している。水平板部３１の正規位置３１１が、既存梁１５の下面に対向するように配置され、仮置き位置３１２が、既存梁１５よりも側方（前方側）に突出するように配置されている。水平板部３１の正規位置３１１、および、垂直板部３２の既存柱１２への当接部分には、固定具９３が挿通される複数の貫通穴３４が設けられている。水平板部３１における、仮置き位置３１２側の幅方向端縁には、仮置き位置３１２からの補助梁２１の転倒を防止するために、上面３１０から立ち上がる立上片３５が設けられている。
【００７１】
このような支持用部材３が用いられる場合、補助梁２１の他方側端部が、仮置き位置３１２から正規位置３１１にスライドされた後に、補助梁２１の他方側端部と支持用部材３とが直接固定される。たとえば、固定具が、水平板部３１の下面側から正規位置３１１の貫通穴３４を貫通するように補助梁２１の下面に打ち込まれることによって、両者が固定されればよい。
【００７２】
（他の変形例）
本実施の形態では、補助梁２１の移動に伴って中間柱１４が取り除かれる。そのため、図１２の工程Ｐ４において補助梁２１が仮置きされた段階では、既存梁支持具５の支持面５０は、既存梁１５の下面１５０に当接または対面していなくてもよい。具体的には、たとえば、補助梁支持具４の仮置き位置４２２の幅が、補助梁２１の幅寸法よりも大きく、補助梁２１が、仮置き位置４２２の端に位置しているような場合には、既存梁支持具５の支持面５０は、既存梁１５の下面１５０に当接または対面していなくてもよい。すなわち、既存梁支持具５の支持面５０は、補助梁２１が既存梁１５の真下（正規位置４２１）から幅方向他方側にずれた位置（上下方向に重ならない位置）にある場合に、既存梁１５の下面１５０と当接または対面するように、補助梁２１よりも幅方向一方側に少しでも張り出していればよい。
【００７３】
また、本実施の形態では、補助梁２１を正規位置４２１に移動した後、既存梁支持具５を取り外すこととした。しかし、補強工事後に、補助梁２１が天井によって隠される場合などにおいては、既存梁支持具５を補助梁２１に取り付けたままとしてもよい。また、補助梁支持具４も、既存柱１２，１３に取り付けたままとしてもよい。
【００７４】
また、本実施の形態では、既存梁支持具５は、取り外しを容易にするために２つの支持部材５１，５２を含むこととしたが、上記のように特に取り外しを意図しない場合には、第２の支持部材５２を含まなくてもよい。その場合、図１０に示した簡単に取り外し可能な連結具７１に代えて、固定具や接着剤など簡単に取り外しができない接合部材が用いられてもよい。たとえば固定具を用いる場合には、固定具が、第１の支持部材５１の垂直部５１２の貫通穴５２４を貫通して補助梁２１の側面２１１に打ち込まれることによって、既存梁支持具５が補助梁２１に固定されてもよい。または、第１の支持部材５１の水平部５１１におけるベース部５１１ａと補助梁２１の上面２１０とが固定具等によって固定されてもよい。後者の場合、第１の支持部材５１は、垂直部５１２を含まず、水平部５１１のみによって構成されてもよい。なお、いずれの場合においても、水平部５１１における張出部５１１ｂを補強するための補強部材５３が設けられることが望ましい。
【００７５】
また、本実施の形態では、補助梁２１が既存梁１５の真下に、両者が上下方向に完全に重なった状態で固定されることとしたが、上下方向において少なくとも一部が重なっていれば、これらは完全に重なっていなくてもよい。つまり、補助梁支持具４の正規位置４２１が、既存梁１５の下方に、幅方向において既存梁１５の下面１５０と少なくとも一部対面するように、位置していればよい。したがって、補助梁２１は、既存梁１５の幅方向一方側または他方側に、はみ出した状態で固定されてもよい。
【００７６】
また、本実施の形態では、補助梁２１の移動に伴って中間柱１４が取り除かれることとしたが、補助梁２１を移動させる前に（すなわち図１２の工程Ｐ５において）、中間柱１４を完全に取り除いておいてもよい。中間柱１４が取り除かれると、それまで中間柱１４が支持していた既存梁１５の荷重が、既存梁支持具５の支持面５０に加えられる。この場合、補助梁２１は、既存梁支持具５の支持面５０により既存梁１５の支持状態が保たれたまま、移動させられる。
【００７７】
また、本実施の形態では、補助梁２１の端部を片方ずつ持ち上げて、支持金物６を補助梁支持具４の仮置き位置４２２に載置することとしたが、補助梁２１の重量等によっては、補助梁２１の両端部を同時に持ち上げて補助梁支持具４の仮置き位置４２２に載置してもよい。
【００７８】
なお、上記実施の形態では、補助梁２１の両端部は、一対の既存柱１２，１３間に配置されることとしたが、既存梁１５の両端部に連結された一対の既存躯体部間に配置されていれば、既存柱１２，１３間でなくてもよい。この場合、各実施の形態において既存柱１２，１３に固定された部材は、一対の既存躯体部の対向面（内側面）に固定されていればよい。一対の既存躯体部は、互いに対向する対向面（内側面）を有しており、既存柱に加え、たとえば既存梁を含む。具体的には、たとえば上述の既存梁１６，１７が下方側に長い場合には、補助梁支持具４は、既存梁１６，１７に固定されてもよい。
【００７９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８０】
３  支持用部材、４，４Ａ  補助梁支持具（支持具）、５  既存梁支持具、６  支持金物（被支持部材）、１１  土台、１２，１３  既存柱、１４  中間柱（既存柱）、１５，１６，１７  既存梁、２１  補助梁、２２  側板、３１  水平板部、３２  垂直板部、４０，４０Ａ  開口、４１  ベース部、４２  受入れ部、４４  底壁、４５  立壁、５０  支持面、５１  第１の支持部材、５２  第２の支持部材、５３  補強部材、６１  天板部、６２  立板部、７１，７２  連結具、９１，９２，９３  固定具、２１０ａ  切欠き部、３１１，４２１  正規位置、３１２，４２２  仮置き位置、５１１，５２２  水平部、５１２，５２１  垂直部、５１３  傾斜部、５２３  立上部、５３１，５３２  当接部、５３３  直交部。
【図１】
0005913265.tif 000002
【図２】
0005913265.tif 000003
【図３】
0005913265.tif 000004
【図４】
0005913265.tif 000005
【図５】
0005913265.tif 000006
【図６】
0005913265.tif 000007
【図７】
0005913265.tif 000008
【図８】
0005913265.tif 000009
【図９】
0005913265.tif 000010
【図１０】
0005913265.tif 000011
【図１１】
0005913265.tif 000012
【図１２】
0005913265.tif 000013
【図１３】
0005913265.tif 000014
【図１４】
0005913265.tif 000015
【図１５】
0005913265.tif 000016
【図１６】
0005913265.tif 000017
【図１７】
0005913265.tif 000018
【図１８】
0005913265.tif 000019